(57)【要約】【課題】後背部等のように自分自身で薬剤を塗りにくい部所に容易かつ確実に塗布でき、またバック等に容易に収納可能な薬剤塗布器具を提供する。【解決手段】先部３ａに薬剤塗布部２を設けた薬剤塗布部取付部材３の軸部３ｂの基端部４ｃに凹部７を形成する。また、先部４ａに手で把持する把持部６を設けたハンドル部材４の軸部４ｂの基端部４ｃに凹部８を形成する。薬剤塗布部取付部材３の凹部７とハンドル部材４の凹部に板状の継ぎ手を差し込み、薬剤塗布部取付部材３とハンドル部材４を取り外し可能に接続する。【選択図】図１
0003120910.tif 000002
【実用新案登録請求の範囲】
【請求項１】
先部に薬剤等からなる塗布剤の薬剤塗布部を設けるとともに基端部に凹部を形成した第１の部材と、先部に手で把持する把持部を設けるとともに基端部に凹部を形成した第２の部材と、前記第１の部材と第２の部材とを接続する板形状の継ぎ手を備え、前記継ぎ手を前記第１の部材の凹部および第２の部材の凹部に差し込んで前記第１の部材と前記第２の部材を取り外し可能に接続し得るように構成したことを特徴とする薬剤塗布器具。
【請求項２】
先部に薬剤等からなる塗布剤の薬剤塗布部を設けるとともに基端部に凸部を形成した第１の部材と、先部に手で把持する把持部を設けるとともに基端部に凸部を形成した第２の部材と、前記第１の部材と第２の部材とを接続する中空形状の継ぎ手を備え、前記継ぎ手の中空部に前記第１の部材の凸部および第２の部材のと凸部を差し込んで前記第１の部材と前記第２の部材を取り外し可能に接続し得るように構成したことを特徴とする薬剤塗布器具。
【請求項３】
前記板形状の継ぎ手および前記中空形状の継ぎ手は、所要角度に湾曲または折曲させたことを特徴とする請求項１または２記載の薬剤塗布器具。
【請求項４】
前記板形状の継ぎ手は、前記第１の部材の凹部と前記第２の部材の凹部の合計深さと同等またはそれより長く、前記中空形状の継ぎ手は、前記第１の部材の凸部と前記第２の部材の凸部の合計長さと同等またはそれより長いことを特徴とする請求項１または２記載の薬剤塗布器具。
【請求項５】
前記塗布部は、発泡ウレタン等からなるクッション材とウレタン、不繊布またはゴムからなる塗布部材からなり、クッション材をプラスチック製の第１の部材に固着するとともに、前記塗布部材をクッション材に固着したことを特徴とする請求項１または２記載の薬剤塗布器具。
【請求項６】
前記塗布部を略楕円形状とし、前記第１の部材の長手方向に対して楕円の長径を傾斜あるいは、前記第１の部材および第２の部材をそれぞれの長手方向に関してひねりを加えたことを特徴とする請求項１または２記載の薬剤塗布器具。
【考案の詳細な説明】
【技術分野】
【０００１】
本考案は、クリーム、乳液、ローション等の外用剤からなる薬剤等を後背部や腰部など手の届きにくい部所に自分自身で塗ることができる薬剤塗布器具に関する。
【背景技術】
【０００２】
一般に、後背部や腰部など手の届きにくい部所に外用剤を塗る際、自分自身では必要な部所に的確かつ万遍なく均一に塗ることが難しく、他人に依存しなければならない場合が多かった。
【０００３】
そこで、従来、前記部所に自分自身で外用剤を塗ることのできる塗布器具が提案されている。例えば、孫の手の把持部の端部に薬剤を塗布するためのパフ保持盤を設けた薬剤を塗布する物が提案されている（特許文献１参照）。
【０００４】
また、塗布用のスポンジを開口部に取り付けた液状薬容器を保持した固定柄と手で握る可動柄を接続し、可動柄を固定柄に対して折り畳み可能にしてバックなどに入れて携帯に便利な液状薬塗布具が提案されている（特許文献２参照）。
【０００５】
さらに、不織布等で表面層を形成し、この表面層に薬液を貯めておく凹部を形成するとともに、表面層の下にスポンジからなるクッション層を設け、このクッション層をベース板に取り付けて、ベース板を手にて直接保持して薬液を患部に塗布する塗布器具が提案されている（特許文献３参照）。
【０００６】
また、本願出願人は、塗布部を設けた第１の部材と手で把持する第２の部材をヒンジで接続して折り畳み可能とした薬剤塗布器具を提案している（特許文献４参照）。
【０００７】
【特許文献１】登録実用新案第３０８８７２８号公報
【特許文献２】登録実用新案第３０３５８７６号公報
【特許文献３】登録実用新案第３０８７９９９号公報
【特許文献４】登録実用新案第３１０６１０８号公報
【考案の開示】
【考案が解決しようとする課題】
【０００８】
しかしながら、前記登録実用新案第３０８８７２８号公報にあっては、棒状で携帯に不便であり、室内での使用に限定されるという問題があった。
【０００９】
また、前記登録実用新案第３０３５８７６号公報にあっては、可動柄を折り畳んでバックなどにより携帯可能であるが、この際に液状薬容器に蓋をしなければならないという行為が必要であり、また、液状薬容器を保持しているので固定柄と可動柄を同じ長さにでないため、折り畳んだ際に全体を半分の長さにできず、バックなどの内部で嵩張るという問題があった。
【００１０】
さらに、前記登録実用新案第３０８７９９９号公報にあっては、手でベース板を持つため、手の届く範囲にしか塗れず、手の届かない部所は他人に依存しなければならい問題があった。
【００１１】
また、前記登録実用新案第３１０６１０８号公報にあっては、同形状の第１の部材と第２の部材をヒンジで折り畳み可能に接続した構成であるので、折り畳むと略半分の長さになり全体の寸法をさほどとることなく、コンパクトにできることから保管面での利便性が高い等の点で優れており、例えばハンドバック等に入れて持ち運びが可能で出先でも使用することができるという利点がある。しかし、ヒンジで接続した構成であるので、第１の部材と第２の部材を開いた使用時の薬剤塗布器具の長さが一定であるという問題点があった。このため、器具寸法を長くするには第１の部材と第２の部材をそれぞれ長く形成する必要があり、結果的に折り畳んだ状態の薬剤塗布器具が長くなりコンパクト性が無くなってしまうという問題点があった。
【００１２】
本考案は、前記従来の問題点に鑑みてなされたもので、薬剤塗布部を設けた部材と把持部を設けた部材を取り外し可能に接続できるとともに、前記部材の長さ寸法を変化させることなく使用時に器具全体の寸法を任意に調整することのできる薬剤塗布器具を提供することを目的とする。
【課題を解決するための手段】
【００１３】
前記目的を達成するために、 本考案の請求項１は、先部に薬剤等からなる塗布剤の薬剤塗布部を設けるとともに基端部に凹部を形成した第１の部材と、先部に手で把持する把持部を設けるとともに基端部に凹部を形成した第２の部材と、前記第１の部材と第２の部材とを接続する板形状の継ぎ手を備え、前記継ぎ手を前記第１の部材の凹部および第２の部材の凹部に差し込んで前記第１の部材と前記第２の部材を取り外し可能に接続し得るように構成したことを特徴とする。
【００１４】
本考案の請求項２は、先部に薬剤等からなる塗布剤の薬剤塗布部を設けるとともに基端部に凸部を形成した第１の部材と、先部に手で把持する把持部を設けるとともに基端部に凸部を形成した第２の部材と、前記第１の部材と第２の部材とを接続する中空形状の継ぎ手を備え、前記継ぎ手の中空部に前記第１の部材の凸部および第２の部材の凸部を差し込んで前記第１の部材と前記第２の部材を取り外し可能に接続し得るように構成したことを特徴とする。
【００１５】
本考案の請求項３は、請求項１または請求項２において、前記板形状の継ぎ手および前記中空形状の継ぎ手は、所要角度に湾曲または折曲させたことを特徴とする。
【００１６】
本考案の請求項４は、請求項１において、前記板形状の継ぎ手は、前記第１の部材の凹部と前記第２の部材の凹部の合計深さと同等またはそれより長く、請求項２において、前記中空形状の継ぎ手は、前記第１の部材の凸部と前記第２の部材の凸部の合計長さと同等またはそれより長いことを特徴とする。
【００１７】
本考案の請求項５は、請求項１または請求項２において、前記薬剤塗布部は、発泡ウレタン等からなるクッション材とウレタン、不繊布またはゴムからなる塗布部材からなり、クッション材をプラスチック製の第１の部材に固着するとともに、前記塗布部材をクッション材に固着したことを特徴とする。
【００１８】
本考案の請求項６は、請求項１または請求項２において、前記薬剤塗布部を略楕円形状とし、前記第１の部材の長手方向に対して楕円の長径を傾斜あるいは、前記第１の部材および第２の部材をそれぞれの長手方向に関してひねりを加えたことを特徴とする。
【考案の効果】
【００１９】
本考案の請求項１，２によれば、使用時に第１の部材と第２の部材を継ぎ手を介して接続し、手の届きにくい後背部や腰部等の部所に自分自身で容易かつ確実に薬剤を塗布することができる。また、第１の部材と第２の部材は、継ぎ手を介して取り外し可能に接続してあるので、第１の部材と第２の部材を取り外して保管でき、また持ち運ぶことができる。
【００２０】
本考案の請求項３によれば、第１の部材を第２の部材を接続する継ぎ手を所要の角度に湾曲または折曲させてあるので、継ぎ手を介して第１の部材と第２の部材を接続すると、薬剤塗布器具は、使用時には「くの字状」となり手の届きにくい後背部や腰部等に容易かつ確実に薬剤等の塗布を行うことができる。
【００２１】
本考案の請求項４によれば、第１の部材と第２の部材を、長さの異なる継ぎ手を用いて接続することで薬剤塗布器具の長さを任意に調整することができる。
【００２２】
本考案の請求項５，６によれば、塗布部を背中等の曲面に当接させ、フィット感を高めることができるとともに確実に薬剤を所望の場所に塗布することができる。
【考案を実施するための最良の形態】
【００２３】
以下、本考案の実施例を図に基づいて説明する。
【実施例１】
【００２４】
本考案の薬剤塗布器具の実施例１を図１〜図６に基づいて説明する。図１は第１の部材と第２の部材を接続した薬剤塗布器具を示す平面図、図２は図１のＡ−Ａ線拡大断面図、図３は継ぎ手を示し、図３（Ａ）は平面図、図３（Ｂ）は側面図、図４は継ぎ手の変形例を示す側面図、図５は薬剤塗布部を示す断面図、図６は薬剤塗布器具の使用状態を示す図である。
【００２５】
図１に示すように、本実施例の薬剤塗布器具１は、体に塗る薬剤を保持する薬剤塗布部２を設けた第１の部材としての薬剤塗布部取付部材３と、手で把持する把持部６を設けた第２の部材としてのハンドル部材４と、薬剤塗布部取付部材３とハンドル部材４とを取り外し可能に接続する継ぎ手５を備えている。ここで、薬剤塗布部２に塗布する薬剤は、医薬品、医薬部外品、化粧品等の外用剤で、例えば、塗り薬、クリーム剤、乳液、ローション剤等のカユミ止め、保湿剤、日焼けオイル、日焼け止めオイル等を含むものである。
【００２６】
前記薬剤塗布部取付部材３とハンドル部材４は、プラスチック（ＰＥ）製板状部材からなり、それぞれの先部３ａ，４ａを弧状（例えば略楕円形状）とした略同じ形状に形成されいる。前記薬剤塗布部取付部材３の先部３ａには、その略中心に弧状の外形に沿ってその外形より小さい楕円形状の薬剤塗布部２が設けられており、ハンドル部材４の弧状の先端４ａは把持部６となっている。また、薬剤塗布部取付部材３およびハンドル部材４には、それぞれの先部３ａ、４ａと滑らかに繋がる直線状の軸部３ｂ，４ｂが一体に形成されており、軸部３ｂ，４ｂの基端部３ｃ，４ｃには、図２に示すように、テーパー状の凹部７，８が同じ形状に形成されている。
【００２７】
継ぎ手５は、図３に示すように、凹部７，８の深さ寸法より長い板状に形成され、その長手方向の両端部５ａは前記凹部７，８のテーパーと同じ形状のテーパーが形成されており、凹部７，８に継ぎ手５の両端部５ａを差し込むことで薬剤塗布部取付部材３とハンドル部材４を接続し得るようになっている。このとき、薬剤塗布器具１は、継ぎ手５の両端部５ａ間の中間部５ｂの長さ分が、薬剤塗布部取付部材３とハンドル部材４の長さを合算した寸法より長くなる。すなわち、継ぎ手５の中間部５ｂの長さを種々変え、これらの継ぎ手５を用いて薬剤塗布部取付部材３とハンドル部材４を接続することで、薬剤塗布部取付部材３とハンドル部材４を交換することなく、薬剤塗布器具１の長さを調整することができる。なお、継ぎ手５に中間部５ｂを形成しない場合には、薬剤塗布器具１は剤塗布部取付部材３とハンドル部材４の長さを合算した寸法と同じになる。例えば、薬剤塗布部取付部材３およびハンドル部材４の長さＬを１３５ｍｍとすると、薬剤塗布部取付部材３とハンドル部材４のみからなる薬剤塗布器具１の全体の長さは２７０ｍｍとなるが、中間部５ｂの長さを５０ｍｍとした継ぎ手５を用いて薬剤塗布部取付部材３とハンドル部材４を接続すると、薬剤塗布器具１の全体の長さは３２０ｍｍとなり、薬剤塗布器具１の全体の長さは５０ｍｍ伸びたことになる。そして、継ぎ手５は、その中間部５ｂの長さを任意に設定して形成し得るものであり、この継ぎ手５の中間部５ｂの長さにより薬剤塗布器具１の全体の長さを容易に変えることができる。
【００２８】
前記継ぎ手５は、その中間部５ｂを直線状とした場合を示したが、図４（Ａ）に示すように、中間部９ｂを湾曲させて継ぎ手９を形成しても良く、また、図４（Ｂ）に示すように、中間部９ｂを「くの字状」に折曲して形成しても良い。中間部９ｂの両端には、前記継ぎ手５の両端部５ａを同じ形状の両端部９ａが形成されており、この継ぎ手９を用いて薬剤塗布部取付部材３とハンドル部材４を接続すると、薬剤塗布部取付部材３とハンドル部材４は中間部９ｂの曲率に沿った角度αに傾斜して接続されるため、薬剤塗布部取付部材３とハンドル部材４とが所定の角度αを有した状態で薬剤塗布器具１が形成され、この状態で手の届きにくい背中等に前記薬剤塗布部２に保持した薬剤が塗りやすくなり、例え肩甲骨などの出っ張り下方であっても容易に行うことができる。この角度αは１２０°〜１５０°程度が好ましい。
【００２９】
前記薬剤塗布部２は、図５に示すように、発泡ウレタン等のクッション材１１とウレタンまたはゴム等の塗布部材１２とからなっている。クッション材１１は薬剤塗布部取付部材３に埋設固定されるとともに、塗布部材１２はクッション材１１の面上に固着され、塗布部材１２上に保持した薬剤を適度の弾性を有して皮膚に塗布できるようになっている。なお、塗布部材１２は不織布によりカバーしてもよい。
【００３０】
図７および図８は、本実施例の薬剤塗布器具１を収納する収納箱を示し、図７は斜視図、図８は平面図である。
【００３１】
図に示すように、収納箱１５は、その横断形状が正方形の長方立方体形状に形成され、内径長さＨは薬剤塗布部取付部材３およびハンドル部材４の長さより長く形成されるとともに、対角線の内径長さＤは薬剤塗布部取付部材３およびハンドル部材４の最大横幅より若干大きく形成されている。例えば、図１に示すように、薬剤塗布部取付部材３およびハンドル部材４の長さＬを１３５ｍｍ、最大横幅Ｗを５６ｍｍとすると、収納箱１５は内径長さＨは１４５ｍｍ、辺の内径寸法Ｃを４０ｍｍとする長方立方体の形状に形成され、対角線の長さＤは約５６．６ｍｍとなり、薬剤塗布部取付部材３およびハンドル部材４を対角線上に沿わせて収納し得るとともに、継ぎ手５を収納するようになっている。このとき、薬剤塗布部取付部材３とハンドル部材４の略楕円形状の先端を反対側にした状態で収容箱１５内にガタ付くことなく収納できるとともに、中間部５ｂの長さが異なる複数の継ぎ手５を収納ことができる。
【００３２】
次に、本実施例の作用を説明する。
薬剤塗布器具１を使用する際には、図７に示す収納箱１５から薬剤塗布部取付部材３とハンドル部材４および継ぎ手５を取り出し、継ぎ手５を介して薬剤塗布部取付部材３とハンドル部材４を接続する。そして、薬剤塗布部２の塗布部材１２の面上に必要な薬剤を供給して保持させ、図６に示すように、ハンドル部材４を手に持って肩口から薬剤塗布部取付部材３の薬剤塗布部２を背中に位置させ、手を上下左右に適宜動かして塗布部材１２により薬剤を必要な部所に塗布する。
【００３３】
本実施例によれば、薬剤塗布器具１は、薬剤塗布部取付部材３とハンドル部材４を継ぎ手５を介して接続しているので、中間部５ｂの長さにより、薬剤塗布部取付部材３およびハンドル部材４を交換することなく薬剤塗布器具１の全長を変えることができる。これにより、薬剤を塗布する部位に塗布部材１２が届かない場合に、継ぎ手５を交換して薬剤塗布部取付部材３とハンドル部材４を接続することで、所望の部位に薬剤を塗布することができる。
【００３４】
また、中間部９ｂを湾曲させた継ぎ手９または中間部９ｂを折曲した継ぎ手９を用いて薬剤塗布部取付部材３とハンドル部材４を接続することで、薬剤塗布部取付部材３とハンドル部材４は、塗布時に所定の角度αに維持されて「くの字」となっているので、手の届きにくい背中や腰部の曲面に合わせて無理なく塗布部材１２を当接させ薬剤を容易に塗ることができる。さらに、肩甲骨等の出っ張り下方の部分であっても、容易に塗布することができる。
【００３５】
また、薬剤塗布器具１は、薬剤塗布部取付部材３とハンドル部材４とを取り外して収納箱１５に継ぎ手５と共に保管できるので、各部材がバラバラになることはなく、使用の際には直ちに収納箱１５から取り出して薬剤を塗布することができる。さらに、収納箱１５はバック等に収容できるとともに嵩張らない大きさであり、出先や旅先においても持ち運が可能で、必要に応じて適時に使用することができる。また、収納箱１５に収納して保管することで、不使用時に薬剤塗布部２を衛生的に保つことができる。さらに、薬剤塗布器具１の使用直後に薬剤塗布部２を洗浄できない場合であっても、収納箱１５に収納することで、薬剤塗布部２に残存する薬剤が不注意で衣服等に付着させることを防ぐことができ、またバック等に収納した際に内部を汚すのを防ぐことができる。さらに、海岸等の戸外でサンオイル等を使用した後に砂等の異物が付着するのを防げ、時間をおいても再度安心して使用することができる。
【実施例２】
【００３６】
本考案の薬剤塗布器具の実施例２を図９〜図１４に基づいて説明する。図９は第１の部材である薬剤塗布部取付部材と第２の部材であるハンドル部材を接続した薬剤塗布器具を示す平面図、図１０は薬剤塗布部取付部材（ハンドル部材）の基端部を示す斜視図、図１１は図９のＢ−Ｂ線拡大断面図、図１２は継ぎ手を示し、図１２（Ａ）は斜視図、図１２（Ｂ）は断面図、図１３および図１４は継ぎ手の変形例を示す断面図である。
【００３７】
本実施例の薬剤塗布器具２０は、薬剤塗布部取付部材３の基端部３ｃに凸部２２を形成するとともに、ハンドル部材４の基端部４ｃに凸部２３を形成し、中空形状の継ぎ手２１により、薬剤塗布部取付部材３とハンドル部材４を取り外し自在に接続し得るように構成しもので、その他の構成は実施例１と同様であり、その説明は省略する。
【００３８】
図９に示すように、本実施例の薬剤塗布器具２０は、実施例１と同様に、体に塗る薬剤を保持する薬剤塗布部２を設けた第１の部材としての薬剤塗布部取付部材３と、手で把持する把持部６を設けた第２の部材としてのハンドル部材４と、薬剤塗布部取付部材３とハンドル部材４とを取り外し可能に接続する継ぎ手２１を備えている。薬剤塗布部取付部材３の基端部３ｃには、図１０に示すように、截頭四角錐形状の凸部２２が一体に形成されている。ハンドル部材４の基端部４ｃにも薬剤塗布部取付部材３と同様に凸部２３が一体に形成されている。
【００３９】
継ぎ手２１は、薬剤塗布部取付部材３とハンドル部材４の軸部３ｂ，４ｂの幅および厚さと略同じ大きさに形成され、図１２に示すように、その内部には前記凸部２２，２３と同じ形状に形成した有底状の凹部２４，２５が形成されている。凹部２４，２５の深さは凸部２２，２３の長さと略同じ大きさに形成されるとともに、凹部２４，２５の底部の間に中間部２１ａが形成されており、凹部２４，２５に薬剤塗布部取付部材３とハンドル部材４の凸部２２，２３を差し込むことで、図９および図１１に示すように、薬剤塗布部取付部材３とハンドル部材４を接続し得るようになっている。このとき、薬剤塗布器具２０は、継ぎ手２１の長さ分が、薬剤塗布部取付部材３とハンドル部材４の長さを合算した寸法より長くなる。すなわち、継ぎ手２１の長さを種々変え、これらの継ぎ手２１を用いて薬剤塗布部取付部材３とハンドル部材４を接続することで、薬剤塗布部取付部材３とハンドル部材４を交換することなく、薬剤塗布器具２０の長さを調整することができる。そして、継ぎ手２１は、その長さを任意に設定して形成し得るものであり、この継ぎ手２１の長さにより薬剤塗布器具２０の全体の長さを容易に変えることができる。なお、凹部２４，２５は、薬剤塗布部取付部材３およびハンドル部材４の凸部２２，２３の長さより大きく形成して実施することができる。また、継ぎ手２１は、図１３に示すように、凹部の底部を形成せず、中間部２１ａにおいて凹部２４，２５をつなげるようにして形成しても良い。
【００４０】
前記継ぎ手２１は、その中間部２１ａを直線状とした場合を示したが、図１４（Ａ）に示すように、中間部３０ａを湾曲させて継ぎ手３０を形成しても良く、また、図１４（Ｂ）に示すように、中間部３０ａを「くの字状」に折曲して形成しても良い。継ぎ手３０は、中間部３０ａを挟んで凹部２４，２５が形成されており、この継ぎ手３０を用いて薬剤塗布部取付部材３とハンドル部材４を接続すると、薬剤塗布部取付部材３とハンドル部材４は中間部３０ａの曲率に沿った角度αに傾斜して接続されるため、薬剤塗布部取付部材３とハンドル部材４とが所定の角度αを有した状態で薬剤塗布器具２０が形成され、この状態で手の届きにくい背中等に前記薬剤塗布部２に保持した薬剤が塗りやすくなり、例え肩甲骨などの出っ張り下方であっても容易に行うことができる。
【実施例３】
【００４１】
本考案の薬剤塗布器具４０の実施例３を図１５に基づいて説明する。図１５は薬剤塗布部取付部材とハンドル部材を接続した状態を示す斜視図である。
【００４２】
薬剤塗布部取付部材４１およびハンドル部材４２は、同じ状態で同じ方向にひねりを入れて形成されている。その他の構成は実施例１，２と同様である。
【００４３】
本実施例によれば、薬剤塗布部取付部材４１およびハンドル部材４２にひねりを入れたので、ハンドル部材４２の持つ手を大きくひねることなく、薬剤塗布部取付部材４１に設けた薬剤塗布部２を背中等の曲面に当接させ、フィット感を高めることができ、確実に薬剤を塗布することができる。その他の作用、効果は実施例１と同様である。
【実施例４】
【００４４】
本考案の薬剤塗布器具の実施例４を図１６に基づいて説明する。図１６は本実施例の薬剤塗布部取付部材を示す平面図である。
【００４５】
本実施例の薬剤塗布器具４５は、薬剤塗布部２の長径を薬剤塗布部取付部材３の長手方向に対して傾けて薬剤塗布部取付部材３に取り付けられている。その他の構成は実施例１，２と同様である。
【００４６】
本実施例によれば、実施例３と同様な作用、効果を得ることができる。
【実施例５】
【００４７】
本考案の薬剤塗布器具の実施例５を図１７に基づいて説明する。図１７は本実施例に備えた薬剤塗布部を側方から見た図である。
【００４８】
薬剤塗布部５０は、クッション材１１に対して塗布部材１２が着脱可能に設けられている。薬剤塗布部取付部材３に埋設固着したクッション材１１の上面には多数の繊維状の輪部を形成したシート材１１ａが設けられ、塗布部材１２の下面には多数の繊維状のかぎ部を形成したシート材１２ａが設けられており、シート材１１ａの輪部にシート材１２ａのかぎ部が着脱可能に係合するようになっている。その他構成は実施例３と同様である。
【００４９】
本実施例によれば、薬剤を塗布する背中の位置およびその曲面状態により、塗布部材１２を薬剤塗布部取付部材３の長手方向に対して必要に応じて任意の量だけ傾斜させてフィット感を高めることができる。その他の作用、効果は実施例３と同様である。
【実施例６】
【００５０】
本考案の薬剤塗布器具の実施例６を図１８に基づいて説明する。図１８は本実施例に備えた薬剤塗布部を示し、図１８（Ａ）は側方から見た部分断面図、図１８（Ｂ）は平面図である。
【００５１】
薬剤塗布部５１は、前記実施例１と同様に、クッション材１１と塗布部材５２とからなり、薬剤塗布部取付部材３に配置されている。塗布部材５２の薬剤保持面には、凹状の窪み５２ａが形成されている。その他の構成は、実施例１，２と同様であり、実施例３，４，５にも適用することができる。
【００５２】
本実施例によれば、塗布部材５２の窪み５２ａに薬剤を供給し、塗布部材５２から薬剤が容易に滴下しないようにすることができる。すなわち、塗布部材５２の窪み５２ａで薬剤を保持することできるので、背中等に薬剤を塗布する際に、薬剤が塗布部材５２から落ちずらくなり、例えば粘度の低い薬剤（例えばローション等）であっても容易に塗布することができる。その他の作用、効果は実施例１と同様である。
【図面の簡単な説明】
【００５３】
【図１】本考案の実施例１を示す平面図である。
【図２】図１のＡ−Ａ線拡大断面図である。
【図３】本考案の実施例１の継ぎ手を示し、図３（Ａ）は平面図、図３（Ｂ）は側面図である。
【図４】継ぎ手の変形例を示す側面図である。
【図５】本考案の実施例１の薬剤塗布部を示す断面図である。
【図６】本考案の実施例１の使用状態を示す図である。
【図７】本考案の実施例１の収納箱を示す斜視図である。
【図８】本考案の実施例１の収納箱を示す平面図である。
【図９】本考案の実施例２を示す平面図である。
【図１０】本考案の実施例２の薬剤塗布部取付部材（ハンドル部材）の基端部を示す斜視図である。
【図１１】図９のＢ−Ｂ線拡大断面図である。
【図１２】本考案の実施例２の継ぎ手を示し、図１２（Ａ）は斜視図、図１２（Ｂ）は断面図である。
【図１３】継ぎ手の変形例を示す断面図である。
【図１４】継ぎ手の変形例を示す断面図である。
【図１５】本考案の実施例３を示す斜視図である。
【図１６】本考案の実施例４を示す平面図である。
【図１７】本考案の実施例５を示す側面図である。
【図１８】本考案の実施例６を示し、図１８（Ａ）は薬剤塗布部を側方から見た部分断面図、図１８（Ｂ）は上方から見た図である。
【符号の説明】
【００５４】
１，２０，４０，４５  薬剤塗布器具
２，５０，５１  薬剤塗布部
３，４１  薬剤塗布部取付部材
３ａ，４ａ  先部
３ｂ，４ｂ  軸部
３ｃ，４ｃ  基端部
４，４２  ハンドル部材
５，９，２１，３０  継ぎ手
５ａ，９ａ，２１ａ  両端部
５ｂ，９ｂ，３０ａ  中間部
６，７，２４，２５  凹部
１１  クッション材
１１ａ  シート材
１２，５２  塗布部材
１５  収納箱
２２，２３  凸部
５２ａ  窪み
【図１】
0003120910.tif 000003
【図２】
0003120910.tif 000004
【図３】
0003120910.tif 000005
【図４】
0003120910.tif 000006
【図５】
0003120910.tif 000007
【図６】
0003120910.tif 000008
【図７】
0003120910.tif 000009
【図８】
0003120910.tif 000010
【図９】
0003120910.tif 000011
【図１０】
0003120910.tif 000012
【図１１】
0003120910.tif 000013
【図１２】
0003120910.tif 000014
【図１３】
0003120910.tif 000015
【図１４】
0003120910.tif 000016
【図１５】
0003120910.tif 000017
【図１６】
0003120910.tif 000018
【図１７】
0003120910.tif 000019
【図１８】
0003120910.tif 000020